Podtech/llm-jp-corpus-v4-ja_patent huggingface dataset:
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
眼部の画像を取得する画像取得手段と、
前記取得された画像に基づいて血管の壁を構成する膜候補点を取得する血管特徴取得手段と、
前記取得された膜候補点に基づいて前記血管の壁を構成する細胞を特定する細胞特定手段と、
前記特定された細胞の位置に基づいて前記血管の壁に関する計測位置を特定する計測位置特定手段と、
を備えることを特徴とする画像処理装置。
【請求項２】
前記計測位置特定手段は、１以上の膜において特定された細胞の内の所定の位置からの距離に基づいて前記計測位置を特定することを特徴とする請求項１に記載の画像処理装置。
【請求項３】
前記特定された計測位置において、前記血管の壁に関する計測値として前記血管における膜厚、複合膜厚、及び壁厚の少なくとも一つを算出する計測手段を更に備えることを特徴とする請求項１又は２に記載の画像処理装置。
【請求項４】
前記計測手段は、前記血管における異なる種類の膜に対して計測した膜厚同士を演算することにより得られる規格値、又は同じ種類の膜に関して計測した複数の膜厚に関する指標値同士を演算することにより得られる指標値、を算出することを特徴とする請求項３に記載の画像処理装置。
【請求項５】
前記計測位置特定手段は、前記血管における膜にて前記特定された細胞の間の距離が所定の範囲の値でない位置においては前記特定された細胞の内の所定の位置からの距離に関する値は用いず、前記膜とは異なる他の膜において特定された細胞の内の所定の位置からの距離に基づいて、もしくは前記血管の壁の走行に沿って所定の間隔で前記計測位置を特定することを特徴とする請求項１乃至４の何れか１項に記載の画像処理装置。
【請求項６】
前記画像取得手段が取得した前記眼部の広画角画像と複数の高倍率画像との位置合わせを行う位置合わせ手段を更に備え、
前記血管特徴取得手段は前記位置合わせされた複数の高倍率画像に基づいて前記膜候補点を取得することを特徴とする請求項１乃至５の何れか１項に記載の画像処理装置。
【請求項７】
前記複数の高倍率画像は共焦点画像と非共焦点画像とを含み、
前記位置合わせ手段は、前記広画角画像と前記共焦点画像との位置合わせを行った際に用いたパラメータ値を用いて前記広画角画像と前記非共焦点画像との位置合わせを行うことを特徴とする請求項６に記載の画像処理装置。
【請求項８】
コンピュータを、請求項１乃至７の何れか１項に記載の画像処理装置の各手段として動作させることを特徴とするプログラム。
【請求項９】
眼部の画像を取得する画像取得工程と、
前記取得された画像に基づいて血管の壁を構成する膜候補点を取得する血管特徴取得工程と、
前記取得された膜候補点に基づいて前記血管の壁を構成する細胞を特定する細胞特定工程と、
前記特定された細胞の位置に基づいて前記血管の壁に関する計測位置を特定する計測位置特定工程と、
を含むことを特徴とする画像処理方法。
【請求項１０】
請求項９に記載の画像処理方法の各工程をコンピュータに実行させるためのプログラム。
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
一の服用者が服用する薬品が服用時期ごとに分包された複数の分包容器の分包内容を含む配薬データを取得する取得処理部と、
前記取得処理部により取得される前記配薬データと前記分包容器から読み取られる前記分包容器の識別データとに基づいて、一回の前記服用時期に対応する複数の前記分包容器について前記識別データの読み取りが完了したか否かを判定可能な判定処理部と、
を備える配薬支援システム。
【請求項２】
前記判定処理部の判定結果を報知する報知処理部を備える請求項１に記載の配薬支援システム。
【請求項３】
前記判定処理部が、一回の前記服用時期に対応する全ての前記分包容器から個別に前記識別データが読み取られた場合に当該服用時期について前記識別データの読み取りが完了したと判定する請求項１又は２に記載の配薬支援システム。
【請求項４】
前記判定処理部が、一回の前記服用時期に対応する複数の前記分包容器のいずれか一つの前記分包容器から前記識別データが読み取られた場合に当該服用時期について前記識別データの読み取りが完了したと判定する請求項１又は２に記載の配薬支援システム。
【請求項５】
前記判定処理部が、
一回の前記服用時期に対応する全ての前記分包容器から個別に前記識別データが読み取られた場合に当該服用時期について前記識別データの読み取りが完了したと判定する第１判定モードと、
一回の前記服用時期に対応する複数の前記分包容器のいずれか一つの前記分包容器から前記識別データが読み取られた場合に当該服用時期について前記識別データの読み取りが完了したと判定する第２判定モードと、
のいずれかを選択して実行可能である請求項１又は２に記載の配薬支援システム。
【請求項６】
前記判定処理部が、前記第１判定モードと前記第２判定モードとを予め設定された選択条件に従って選択可能である請求項５に記載の配薬支援システム。
【請求項７】
前記取得処理部が、複数の前記分包容器を含む分包容器群ごとに対応する前記配薬データが個別に記録された複数の配薬記録媒体から複数の前記分包容器群の前記配薬データを個別に読み取り可能である、
請求項１〜６のいずれかに記載の配薬支援システム。
【請求項８】
前記取得処理部が、複数の前記分包容器を含む分包容器群ごとに対応する前記配薬データが纏めて記録された一の配薬記録媒体から複数の前記分包容器群の前記配薬データを纏めて読み取り可能である、
請求項１〜７のいずれかに記載の配薬支援システム。
【請求項９】
前記薬品を前記服用時期ごとに前記分包容器に分包する際に用いられる処方データに基づいて、前記分包容器に分包された薬品の服用時期及び服用者の情報を含む配薬データを出力可能な前記配薬データ出力部を有する薬局側端末を備える請求項１〜８のいずれかに記載の配薬支援システム。
【請求項１０】
複数の前記服用者に対応する複数の前記分包容器が配送される配送先で使用可能であり、前記薬局側端末から出力された前記配薬データを入力可能な配薬データ入力部を有する施設側端末を備える請求項９に記載の配薬支援システム。
【請求項１１】
前記分包容器又は前記分包容器に付される第１記録媒体に、前記服用時期及び予め定められた配送先識別情報を含む第１配薬情報を記録する第１記録部と、
予め定められた配薬グループに属する複数の前記服用者の前記分包容器を同一服用時期ごとに収容する際に用いられる配送容器又は前記配送容器に付される第２記録媒体に、前記服用時期及び予め定められた配送先識別情報を含む第２配薬情報を記録する第２記録部と、
前記分包容器又は前記第１記録媒体から読み取られる前記第１配薬情報の前記服用時期及び前記配送先識別情報と前記配送容器又は前記第２記録媒体から読み取られる前記第２配薬情報の前記服用時期及び前記配送先識別情報とが一致するか否かを判定する配送判定処理部と、
を備える請求項１〜１０のいずれかに記載の配薬支援システム。
【手続補正書】
【提出日】平成30年3月16日(2018.3.16)
【手続補正１】
【補正対象書類名】明細書
【補正対象項目名】０００５
【補正方法】変更
【補正の内容】
【０００５】
本発明は、このような状況に鑑みてなされたものであり、計測対象者における自転車以外での運動も含めた運動を計測することを目的とする。
【手続補正２】
【補正対象書類名】特許請求の範囲
【補正対象項目名】全文
【補正方法】変更
【補正の内容】
【特許請求の範囲】
【請求項１】
計測対象者の体軸回りの回動運動を検出する検出手段と、
前記検出手段によって検出された前記回動運動から前記計測対象者の自転車走行におけるペダルの回動周期を特定する第１の特定手段と、
前記第１の特定手段によって特定された回動周期に基づいて、前記自転車走行における活動量を算出する第１の算出手段と、
を備えることを特徴とする運動計測装置。
【請求項２】
前記検出手段は、前記計測対象者の体軸回りの角速度を検出し、
前記第１の特定手段は、前記検出手段によって検出された角速度に対し、平滑化を施した上で、平滑化された角速度における所定の期間の移動平均値を算出し、この移動平均値と前記平滑化された角速度の交点を求め、この交点間の時間を回動周期として特定する、
ことを特徴とする請求項１に記載の運動計測装置。
【請求項３】
加速度を取得する加速度取得手段と、
前記加速度取得手段によって取得された前記加速度の加速度成分の軸方向を、重力方向に基づいて補正する補正手段と、
前記補正手段により軸方向が補正された加速度に基づいて、計測対象者の運動状態を特定する第２の特定手段と、
を更に備えることを特徴とする請求項１又は２に記載の運動計測装置。
【請求項４】
前記加速度取得手段は、周期的に変化する所定期間における加速度を取得し、
前記第２の特定手段は、前記周期的に変化する所定期間の前記補正手段によって補正された加速度の最大値から前記計測対象者の運動状態を特定する、
ことを特徴とする請求項３に記載の運動計測装置。
【請求項５】
前記第２の特定手段は、前記計測対象者の運動状態として、歩行と、走行と、自転車走行の運動状態を特定する、
ことを特徴とする請求項３又は４に記載の運動計測装置。
【請求項６】
前記補正手段により補正された前記加速度の移動平均から歩行又は走行における２足移動運動の周期を特定する第３の特定手段と、
前記第３の特定手段によって特定された前記２足移動運動の周期に基づいて、当該２足移動運動の活動量を算出する第２の算出手段と、
を備えることを特徴とする請求項５に記載の運動計測装置。
【請求項７】
前記計測対象者の体幹に装着されることを特徴とする請求項１乃至６の何れかに記載の運動計測装置。
【請求項８】
計測対象者の体軸回りの角速度を検出する検出手段と、
前記検出手段によって検出された前記角速度を平滑化する平滑化手段と、
前記平滑化手段によって平滑化された角速度における所定の期間の移動平均値を算出する算出手段と、
前記平滑化手段によって平滑化された角速度と前記算出手段によって算出された移動平均値との交点間の時間を回動周期として特定する第１の特定手段と、
を備えることを特徴とする運動計測装置。
【請求項９】
活動量を算出する第１の算出手段を更に備え、
前記第１の算出手段は、前記第１の特定手段によって特定された回動周期に基づいて、前記計測対象者の活動量を算出する、
ことを特徴とする請求項８に記載の運動計測装置。
【請求項１０】
計測対象者の体軸回りの回動運動を検出する検出ステップと、
前記検出ステップによって検出された前記回動運動から前記計測対象者の自転車走行におけるペダルの回動周期を特定する特定ステップと、
特定された回動周期に基づいて、前記自転車走行における活動量を算出する算出ステップと、
を備えることを特徴とする運動計測方法。
【請求項１１】
コンピュータを、
計測対象者の体軸回りの回動運動を検出する検出手段、
前記検出手段によって検出された前記回動運動から前記計測対象者の自転車走行におけるペダルの回動周期を特定する特定手段、
前記特定手段によって特定された回動周期に基づいて、前記自転車走行における活動量を算出する算出手段、
として機能させることを特徴とするプログラム。
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
遊技を行う遊技機であって、
動作を行う可動部材と、
前記可動部材を駆動するための駆動手段と、
前記駆動手段を駆動することにより、前記可動部材を動作させる可動制御手段と、
第１演出と、前記可動部材を動作させる第２演出とを実行可能な演出実行手段とを備え、
前記演出実行手段は、
前記可動部材の動作態様が異なる複数の前記第２演出を実行可能であり、
所定期間内における前記第２演出の実行回数が所定回となるときには所定回未満となるときよりも高い割合で前記第１演出を実行する
ことを特徴とする遊技機。
【手続補正２】
【補正対象書類名】明細書
【補正対象項目名】００１１
【補正方法】変更
【補正の内容】
【００１１】
（手段１）本発明による遊技機は、遊技を行う遊技機であって、動作を行う可動部材（例えば、可動部材７８）と、可動部材を駆動するための駆動手段（例えば、モータ８６）と、駆動手段を駆動することにより、可動部材を動作させる可動制御手段（例えば、演出制御用マイクロコンピュータ１００における、ステップＳ８００６，Ｓ８１０５を実行する部分）と、第１演出（例えば、非可動体予告演出）と、可動部材を動作させる第２演出（例えば、可動体予告演出）とを実行可能な演出実行手段（例えば、演出制御用マイクロコンピュータ１００における、ステップＳ８００４において選択したプロセステーブルにもとづいてステップＳ８００６，Ｓ８１０５を実行する部分）とを備え、演出実行手段は、可動部材の動作態様が異なる複数の第２演出（例えば、可動部材７８を低速で揺動させる可動体予告Ａ、可動部材７８を高速で揺動させる可動体予告Ｂ、および可動部材７８を演出表示装置９の前面に進出させる可動体予告Ｃ）を実行可能であり、所定期間内における第２演出の実行回数が所定回となるときには所定回未満となるときよりも高い割合で第１演出を実行する（例えば、演出制御用マイクロコンピュータ１００は、直近１０回の変動において可動体予告演出を５回以上実行しているとき（ステップＳ３９０２のＹ）、図３３（Ｂ）に示す制限時予告演出実行抽選テーブル（図３３（Ａ）に示す通常予告演出実行抽選テーブルよりも可動体予告演出の実行割合が低く、非可動体予告演出の実行割合が高い予告演出実行抽選テーブル）を用いてステップＳ３９０６を実行する）ことを特徴とする。そのような構成によれば、可動部材の動作を好適に実行することができる。
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
始動領域への遊技媒体の通過に基づいて変動表示する変動表示手段に表示結果が導出されたときに特定状態に制御する遊技機であって、
前記始動領域への遊技媒体の通過に基づいて遊技価値を付与する遊技価値付与手段と、
前記変動表示手段の変動パターンを決定する変動パターン決定手段と、
前記変動パターン決定手段の決定に基づいた変動パターンに従う変動表示期間で前記変動表示手段を変動表示させる変動表示制御手段と、
前記特定状態に制御された後、前記特定状態への制御確率が通常確率よりも高い高確率状態に制御可能な遊技状態制御手段とを備え、
前記遊技状態制御手段は、前記高確率状態において当該高確率状態に制御されることとなる前記特定状態が発生した回数が特定回発生したことに基づいて前記高確率状態から通常確率状態に制御し、
前記変動表示手段の前記変動表示期間が長いほど、前記始動領域を遊技媒体が通過することで付与された遊技価値から使用した遊技価値を除いた増加価値が多くなり、
前記変動パターン決定手段は、前記変動表示期間の長さの期待値を前記高確率状態において当該高確率状態に制御されることとなる前記特定状態が発生した回数によって変化させる、遊技機。
【手続補正２】
【補正対象書類名】明細書
【補正対象項目名】０００６
【補正方法】変更
【補正の内容】
【０００６】
（１）  始動領域（例えば、始動口スイッチ３３ａ，２３など）への遊技媒体（例えば、遊技球など）の通過に基づいて変動表示する変動表示手段（例えば、演出表示装置９など）に表示結果が導出されたときに特定状態に制御する遊技機（パチンコ遊技機１など）であって、
前記始動領域への遊技媒体の通過に基づいて遊技価値を付与する遊技価値付与手段（例えば、始動領域である普通可変入賞球装置２０への遊技球の通過にも続いて遊技球が払出されるなど）と、
前記変動表示手段の変動パターンを決定する変動パターン決定手段（例えば、ＣＰＵ５６は、選択された特別図柄の変動パターン判定テーブルに基づいて、特別図柄変動パターンを決定する（ステップＳ２９６ａ））と、
前記変動パターン決定手段の決定に基づいた変動パターンに従う変動表示期間で前記変動表示手段を変動表示させる変動表示制御手段（例えば、特別図柄変動中対応処理（ステップＳ８８３）など）と、
前記特定状態に制御された後、前記特定状態への制御確率が通常確率よりも高い高確率状態（例えば、高確状態など）に制御可能な遊技状態制御手段（例えば、ＣＰＵ５６が遊技状態を制御）とを備え、
前記遊技状態制御手段は、前記高確率状態において当該高確率状態に制御されることとなる前記特定状態が発生した回数が特定回（例えば、５０００回）発生したことに基づいて前記高確率状態から通常確率状態に制御し（例えば、確変回数カウンタをリセットする）、
前記変動表示手段の前記変動表示期間が長い（例えば、変動時間が２１０秒である特別図柄変動パターンＰＡ５など）ほど、前記始動領域を遊技媒体が通過することで付与された遊技価値から使用した遊技価値を除いた増加価値が多くなり（例えば、普通可変入賞球装置２０に多く遊技球を入賞させることができる時間が長くなるので出玉がより多くなる）、
前記変動パターン決定手段は、前記変動表示期間の長さの期待値を前記高確率状態において当該高確率状態に制御されることとなる前記特定状態が発生した回数（例えば、確変回数）によって変化させる。
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
小役を含む複数種類の役の当否を決定する内部抽選を行う内部抽選手段と、
前記複数のリールを遊技毎に回転させ、停止操作を契機として、前記内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて、役が入賞したと判定する入賞判定手段と、
前記小役の入賞に伴い、遊技媒体の払出数を決定する払出制御手段と、
通常演出状態およびアシストタイム状態を含む複数種類の演出状態の間で演出状態を移行させ、演出状態がアシストタイム状態に設定されている場合には、前記小役の入賞を補助する入賞補助演出を演出装置に実行させる制御を行う演出制御手段とを備えた遊技機であって、
前記小役として、入賞に伴う遊技媒体の払出数が遊技媒体の投入数よりも多い正解小役と、入賞に伴う遊技媒体の払出数が正解小役よりも少ない第１不正解小役および第２不正解小役が設定されており、
前記内部抽選手段が、
前記正解小役、前記第１不正解小役、および前記第２不正解小役が重複して当選する特定当選態様が存在するように内部抽選を行い、
前記リール制御手段が、
内部抽選の結果が前記特定当選態様である場合に、停止操作の順序として正解打順と不正解打順とが設定されており、正解打順である場合には遊技媒体の払出数が最も多くなる停止位置を優先して前記正解小役が入賞し、不正解打順である場合には有効ライン上に表示可能な図柄組合せの個数が最も多くなる停止位置を優先して前記第１不正解小役または前記第２不正解小役のいずれかが入賞する場合といずれの前記小役も入賞しない場合とが存在するように回転中のリールの停止位置を決定し、
前記複数のリールのうち最初に停止するリールに対応する停止操作が前記正解打順である場合に、前記正解小役、前記第１不正解小役、および前記第２不正解小役の入賞形態に共通に割り当てられた図柄を有効ライン上に表示するように停止位置を決定し、２番目に停止するリールに対応する停止操作において前記不正解打順に転じた場合に、停止操作のタイミングに関わらずに前記正解小役の入賞形態を構成する図柄が有効ライン上に表示されることを回避するとともに、前記第１不正解小役または前記第２不正解小役のいずれか一方の入賞形態を構成する図柄を当該２番目に停止するリールについて停止操作のタイミングに関わらずに有効ライン上に表示するように停止位置を決定して前記第１不正解小役または前記第２不正解小役のうちいずれか一方のみを入賞可能性のある不正解小役とし、最後に停止するリールに対応する停止操作のタイミングに応じて、当該入賞可能性のある不正解小役が入賞する場合といずれの小役も入賞しない場合とが存在するように停止位置を決定し、
前記演出制御手段が、
演出状態が前記アシストタイム状態に設定されている場合には、内部抽選の結果が前記特定当選態様であることに基づいて、前記入賞補助演出によって正解打順を報知することを特徴とする遊技機。
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
小役を含む複数種類の役の当否を決定する内部抽選を行う内部抽選手段と、
前記複数のリールを遊技毎に回転させ、停止操作を契機として当該停止操作に対応する回転中のリールを停止させ、停止操作が行われた時点におけるリールの位置である操作検出位置から所定の引き込み範囲内に存在する図柄を有効ライン上に表示させるように停止位置を決定する制御を行うリール制御手段と、
前記複数のリールが停止した状態で、役毎に予め定められた入賞形態を示す図柄組合せが有効ライン上に表示されたことに基づいて役が入賞したと判定する入賞判定手段と、
前記小役の入賞に伴い、入賞した前記小役の配当に基づいて遊技媒体の払出数を決定する制御を行う払出制御手段とを備えた遊技機であって、
前記複数のリールのうち特定リールの外周面では、第１図柄、第２図柄、第３図柄、および第４図柄のうちいずれかの図柄が必ず前記引き込み範囲内に含まれる位置関係で、かつ前記第１図柄または前記第２図柄が前記引き込み範囲内に含まれる場合には前記第３図柄および前記第４図柄がともに前記引き込み範囲内に含まれない位置関係であって前記第３図柄または前記第４図柄が前記引き込み範囲内に含まれる場合には前記第１図柄および前記第２図柄がともに前記引き込み範囲内に含まれない位置関係で前記第１図柄、前記第２図柄、前記第３図柄、および前記第４図柄が配列され、
前記小役として第１小役と複数種類の第２小役とを含む複数種類の小役が設定され、前記第１小役の配当は、前記複数種類の第２小役のいずれの配当よりも高く設定されており、
前記内部抽選手段が、
前記第１小役と前記複数種類の第２小役のうち一部の前記第２小役とを含む複数種類の小役が重複して当選し、前記第１小役と重複して当選する小役の組合せが互いに異なる複数種類の特定当選態様が存在するように内部抽選を行い、
前記特定当選態様には２種類の前記第２小役が含まれ、前記特定当選態様に含まれる２種類の第２小役のうち一方の前記第２小役の入賞形態を構成する前記特定リールの図柄として前記第１図柄および前記第２図柄が割り当てられ、前記特定当選態様に含まれる２種類の第２小役のうち他方の前記第２小役の入賞形態を構成する前記特定リールの図柄として前記第３図柄および前記第４図柄が割り当てられ、
前記リール制御手段が、
内部抽選の結果が前記複数種類の特定当選態様のいずれかである場合に、前記複数種類の特定当選態様のそれぞれに対して前記特定当選態様の種類に応じた停止操作の順序が正解打順として予め設定され、前記複数種類の特定当選態様のそれぞれにおいて、前記正解打順とは異なる停止操作の順序を不正解打順とし、前記正解打順と最初に停止させるリールが共通する前記不正解打順であって前記特定リールを２番目に停止させる前記不正解打順である特定の前記不正解打順が存在し、前記正解打順である場合には、前記第１小役を入賞させるように回転中のリールを停止させ、前記特定の不正解打順である場合には、前記第１小役の入賞形態および前記第２小役の入賞形態に共通に割り当てられている図柄を有効ライン上に表示させるように最初の停止操作に対応するリールを停止させ、前記特定リールに対する停止操作のタイミングに応じて、前記第１図柄、前記第２図柄、前記第３図柄、および前記第４図柄のうちいずれかの図柄を有効ライン上に表示させるように前記特定リールを停止させて前記２種類の第２小役のうちいずれか一方の前記第２小役のみを入賞可能とし、最後の停止操作のタイミングに応じて、前記第２小役が入賞する場合と、いずれの役も入賞しない場合とが存在するように最後の停止操作に対応するリールを停止させる制御を行うことを特徴とする遊技機。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
液体を収容する液体容器が固定され、前記液体容器にユーザーが前記液体を補充可能に構成された液体消費装置であって、
前記液体の消費量を算出する消費量算出部と、
前記消費量算出部が算出した前記液体の消費量に基づいて更新されるカウント値を記憶する記憶部と、
前記液体容器内の所定の位置に前記液体が有るか否かを検出するためのセンサーと、
前記センサーによる前記液体が有るか否かの液体有無検出を実行する制御部と、を備え、
前記記憶部は、前記制御部が前記液体有無検出を実行して前記液体が無いと判定した状態であるセンサーエンドのときに設定されるセンサーエンドフラグを含み、
前記制御部は、前記カウント値を初期値に戻すリセット処理を実行する前に、前記センサーエンドフラグが設定されており、前記センサーエンドフラグが設定される前に最後に前記液体が有ると判定したときから起算した前記液体の消費量に基づくセンサーエンド後のカウント値が第１の所定値以上となり、前記液体有無検出を実行して前記液体が有ると判定した場合に、前記リセット処理を実行することを特徴とする液体消費装置。
【請求項２】
請求項１に記載の液体消費装置であって、
前記制御部は、前記液体有無検出を実行して前記液体が有ると判定し、かつ、前記カウント値が前記液体容器の容量に相当する値以上である場合に、前記リセット処理を実行することを特徴とする液体消費装置。
【請求項３】
請求項１または請求項２に記載の液体消費装置であって、
前記ユーザーに対してメッセージを表示する表示部を含むユーザーインターフェイス部を備え、
前記制御部は、前記リセット処理を実行した後に、前記液体有無検出を実行して前記液体が無いと判定されるまでの間、前記ユーザーに対して前記液体容器内に残存する前記液体の量を確認することを促す旨の第１のメッセージを表示するための第１のデータを生成して前記ユーザーインターフェイス部に出力し、
前記ユーザーインターフェイス部は、前記制御部から出力される前記第１のデータに基づいて前記表示部に前記第１のメッセージを表示することを特徴とする液体消費装置。
【請求項４】
請求項３に記載の液体消費装置であって、
前記ユーザーインターフェイス部は、前記ユーザーから前記液体容器に前記液体を補充する旨の入力を受付可能であり、
前記制御部は、前記ユーザーインターフェイス部が前記液体を補充する旨の入力を受け付けた後に、前記液体有無検出を実行して前記液体が有ると判定した場合に、前記リセット処理を実行することを特徴とする液体消費装置。
【請求項５】
請求項１に記載の液体消費装置であって、
前記ユーザーに対してメッセージを表示する表示部を含み、前記ユーザーから前記液体容器に前記液体を補充する旨の入力を受付可能なユーザーインターフェイス部と、
前記制御部が前記液体有無検出を実行して前記液体が無いと判定したときに設定されるセンサーエンドフラグと、を備え、
前記制御部は、前記センサーエンドフラグが設定されており、前記センサーエンドフラグが設定される前に最後に前記液体が有ると判定したときから起算した前記液体の消費量に基づくセンサーエンド後のカウント値が第１の所定値以上となり、前記液体有無検出を実行して前記液体が無いと判定した場合には、前記センサーエンド後のカウント値が前記第１の所定値と第２の所定値との合計値以上となったら前記液体を消費する動作を停止し、
前記液体を消費する動作を停止した後で、前記ユーザーインターフェイス部が前記液体を補充する旨の入力を受け付けた後に前記液体有無検出を実行して前記液体が有ると判定した場合に、前記リセット処理を実行するとともに、前記液体を消費する動作を可能とすることを特徴とする液体消費装置。
【請求項６】
請求項５に記載の液体消費装置であって、
前記制御部は、前記センサーエンド後のカウント値が前記第１の所定値以上となり、前記液体有無検出を実行して前記液体が無いと判定した場合には、前記ユーザーに対して前記液体容器に前記液体を補充することを促す旨の第２のメッセージを表示するための第２のデータを生成して前記ユーザーインターフェイス部に出力し、
前記ユーザーインターフェイス部は、前記制御部から出力される前記第２のデータに基づいて前記表示部に前記第２のメッセージを表示することを特徴とする液体消費装置。
【請求項７】
請求項５または６に記載の液体消費装置であって、
前記ユーザーが前記液体容器に補充するための前記液体は、前記液体消費装置とは別体の補充用容器に収容されており、
前記センサーエンド後のカウント値が前記第１の所定値以上となったときに前記液体容器が収容可能な前記液体の容量は、前記補充用容器の容量以上であることを特徴とする液体消費装置。
【請求項８】
請求項１から７のいずれか一項に記載の液体消費装置であって、
前記制御部は、所定量の前記液体を消費する毎に、前記液体有無検出を実行し、前記カウント値を更新することを特徴とする液体消費装置。
【請求項９】
請求項１から８のいずれか一項に記載の液体消費装置であって、
種類が異なる複数の前記液体を個別に収容する複数の前記液体容器を備え、
前記消費量算出部は、前記液体容器毎に前記各液体の消費量を算出し、
前記記憶部は、前記液体容器毎に前記各液体の消費量に基づいて個別に更新される前記カウント値を記憶し、
前記センサーは、前記液体容器毎に配置され、
前記制御部は、前記液体容器毎に前記カウント値を初期値に戻す前に前記液体有無検出を実行することを特徴とする液体消費装置。
【請求項１０】
請求項１から９のいずれか一項に記載の液体消費装置であって、
前記センサーは、前記液体容器内に配置された一対の電極で構成され、
前記制御部は、前記一対の電極間の抵抗値に基づいて前記所定の位置に前記液体があるか否かを判定することを特徴とする液体消費装置。
【請求項１１】
請求項１から９のいずれか一項に記載の液体消費装置であって、
前記センサーは、前記液体容器内に配置され前記液体容器内の前記液体の量に応じて移動する遮光部材と、前記液体容器外に配置された発光部及び受光部と、で構成され、
前記制御部は、前記発光部から射出され前記受光部で受光された光の強度に基づいて前記所定の位置に前記液体があるか否かを判定することを特徴とする液体消費装置。
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
所定条件が成立することで、遊技者にとって有利な特典遊技へ移行させるか否かの決定を行う遊技機において、
通常の楽曲データと残響効果音データとを記憶する楽曲データ記憶手段と、
前記楽曲データ記憶手段に記憶された前記通常の楽曲データに基づく音と前記残響効果音データに基づく音とを出力可能な音出力手段と、
単位遊技における特定タイミングにおいて、前記遊技者にとって有利な特典遊技へ移行させるか否かの決定結果を報知する報知制御手段と、
前記単位遊技における第１期間において、前記音出力手段より、前記通常の楽曲データに基づく音を出力可能として、前記第１期間の後の、前記特定タイミングに至るまでの第２期間において、前記音出力手段より、前記残響効果音データに基づく音を出力可能とする音制御手段と、
を備え、
前記音出力手段は、
前記通常の楽曲データおよび前記残響効果音データのいずれにも基づかない第１特定音と、
当該第１特定音とは異なり、前記通常の楽曲データおよび前記残響効果音データのいずれにも基づかない第２特定音とを出力可能であり、
前記音制御手段は、前記特定タイミングにおいて、前記第１特定音または前記第２特定音のいずれかを出力可能である、
ことを特徴とする遊技機。
【請求項２】
所定条件が成立することで、遊技者にとって有利な特典遊技へ移行させるか否かの決定を行う遊技機において、
楽曲データを記憶する楽曲データ記憶手段と、
前記楽曲データ記憶手段に記憶された前記楽曲データに対し残響効果を施す処理を行う処理手段と、
前記楽曲データ記憶手段に記憶された前記楽曲データに基づく音と前記処理手段により処理された残響効果音とを出力可能な音出力手段と、
単位遊技における特定タイミングにおいて、前記遊技者にとって有利な特典遊技へ移行させるか否かの決定結果を報知する報知制御手段と、
前記単位遊技における第１期間において、前記音出力手段より、前記楽曲データに基づく音を出力可能として、前記第１期間の後の、前記特定タイミングに至るまでの第２期間において、前記音出力手段より、前記処理手段により処理された残響効果音を出力可能とする音制御手段と、
を備え、
前記音出力手段は、
前記楽曲データおよび前記残響効果音のいずれにも基づかない第１特定音と、
当該第１特定音とは異なり、前記楽曲データおよび前記残響効果音のいずれにも基づかない第２特定音とを出力可能であり、
前記音制御手段は、前記特定タイミングにおいて、前記第１特定音または前記第２特定音のいずれかを出力可能である、
ことを特徴とする遊技機。
【手続補正２】
【補正対象書類名】明細書
【補正対象項目名】００１２
【補正方法】変更
【補正の内容】
【００１２】
このような課題を解決するために、本発明に係る遊技機は、所定条件が成立することで、遊技者にとって有利な特典遊技（例えば、第１Ｂｏｎｕｓ状態、第２Ｂｏｎｕｓ状態、第３Ｂｏｎｕｓ状態の何れか）へ移行させるか否かの決定を行う遊技機において、通常の楽曲データと残響効果音データとを記憶する楽曲データ記憶手段と、前記楽曲データ記憶手段に記憶された前記通常の楽曲データに基づく音と前記残響効果音データに基づく音とを出力可能な音出力手段（左上部スピーカ４０、左下部スピーカ４１、右上部スピーカ４２、右下部スピーカ４３）と、単位遊技における特定タイミングにおいて、前記遊技者にとって有利な特典遊技へ移行させるか否かの決定結果を報知する報知制御手段（サブＣＰＵ４０１）と、前記単位遊技における第１期間（遊技媒体の投入動作が行われてから全ての停止ボタンが操作されるまで）において、前記音出力手段より、前記通常の楽曲データに基づく音を出力可能として、前記第１期間の後の、前記特定タイミングに至るまでの第２期間（全ての停止ボタンが操作されてから特定タイミングに至るまで）において、前記音出力手段より、前記残響効果音データに基づく音を出力可能とする音制御手段（液晶制御ＣＰＵ６０１）と、を備え、前記音出力手段は、前記通常の楽曲データおよび前記残響効果音データのいずれにも基づかない第１特定音と、当該第１特定音とは異なり、前記通常の楽曲データおよび前記残響効果音データのいずれにも基づかない第２特定音とを出力可能であり、前記音制御手段は、前記特定タイミングにおいて、前記第１特定音または前記第２特定音のいずれかを出力可能である、ことを特徴とする。
【手続補正３】
【補正対象書類名】明細書
【補正対象項目名】００１３
【補正方法】変更
【補正の内容】
【００１３】
また、このような課題を解決するために、本発明に係る遊技機は、所定条件が成立することで、遊技者にとって有利な特典遊技（例えば、第１Ｂｏｎｕｓ状態、第２Ｂｏｎｕｓ状態、第３Ｂｏｎｕｓ状態の何れか）へ移行させるか否かの決定を行う遊技機において、楽曲データを記憶する楽曲データ記憶手段と、前記楽曲データ記憶手段に記憶された前記楽曲データに対し残響効果を施す処理を行う処理手段（液晶制御ＣＰＵ６０１）と、前記楽曲データ記憶手段に記憶された前記楽曲データに基づく音と前記処理手段により処理された残響効果音とを出力可能な音出力手段（左上部スピーカ４０、左下部スピーカ４１、右上部スピーカ４２、右下部スピーカ４３）と、単位遊技における特定タイミングにおいて、前記遊技者にとって有利な特典遊技へ移行させるか否かの決定結果を報知する報知制御手段（サブＣＰＵ４０１）と、前記単位遊技における第１期間（遊技媒体の投入動作が行われてから全ての停止ボタンが操作されるまで）において、前記音出力手段より、前記楽曲データに基づく音を出力可能として、前記第１期間の後の、前記特定タイミングに至るまでの第２期間（全ての停止ボタンが操作されてから特定タイミングに至るまで）において、前記音出力手段より、前記処理手段により処理された残響効果音を出力可能とする音制御手段（液晶制御ＣＰＵ６０１）と、を備え、前記音出力手段は、前記楽曲データおよび前記残響効果音のいずれにも基づかない第１特定音と、当該第１特定音とは異なり、前記楽曲データおよび前記残響効果音のいずれにも基づかない第２特定音とを出力可能であり、前記音制御手段は、前記特定タイミングにおいて、前記第１特定音または前記第２特定音のいずれかを出力可能である、ことを特徴とする。
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
基材上にインク受容層を設け、かつインク受容層の表面に複数の接着部を設けた転写材において、
前記インク受容層は空隙吸収型であり、
前記接着部は、凝集しかつ積み重なった複数の接着粒子を含み、前記インク受容層の表面に離散的に設けられており、
前記インク受容層の表面は、前記接着部に接触する部分と、前記接着部に接触しない露出部とを有し、
前記インク受容層上に画像を記録する際に、前記接着部と前記露出部はインクを受けることが可能であることを特徴とする転写材。
【請求項２】
前記接着粒子の平均粒子径は１０ｎｍを越え５μｍ未満である請求項１に記載の転写材。
【請求項３】
前記接着部の厚さは０．３〜８μｍの範囲である請求項１または２に記載の転写材。
【請求項４】
前記インク受容層は、無機微粒子と水溶性樹脂を含有し、
前記水溶性樹脂の含有量は、前記無機微粒子１００質量部に対して３．３質量部以上、２０質量部以下である請求項１から３のいずれか１項に記載の転写材。
【請求項５】
前記インク受容層の前記露出部の面積は、前記インク受容層の全面積の５０％以上を占める請求項１から４のいずれか１項に記載の転写材。
【請求項６】
前記接着部が前記インク受容層と接触する面積は、前記接着部の厚み方向からの前記接着部の投影面積よりも小さい請求項１から５のいずれか１項に記載の転写材。
【請求項７】
前記基材と前記インク受容層との間に、離型層および／または保護層が設けられている請求項１から６のいずれか１項に記載の転写材。
【請求項８】
画像支持体と、接着部と、インクにより画像が記録されたインク受容層と、が順次積層された記録物であって、
前記接着部は、請求項１から７のいずれか１項に記載の転写材から転写され、かつ膜化した前記接着粒子を含み、
前記インク受容層は、前記転写材から転写されたものであることを特徴とする記録物。
【請求項９】
請求項１から７のいずれか１項に記載の転写材に、前記接着部側からインクを付与して画像を記録する記録工程と、
前記画像が記録された前記転写材の面を画像支持体へ転写する転写工程と、
を含むことを特徴とする記録物の製造方法。
【請求項１０】
前記記録工程は、インクジェット記録方式によってインクを付与することを特徴とする請求項９に記載の記録物の製造方法。
【請求項１１】
前記転写工程の後に、前記基材を剥離する剥離工程をさらに含む請求項９または１０に記載の記録物の製造方法。
【手続補正書】
【提出日】平成30年8月23日(2018.8.23)
【手続補正１】
【補正対象書類名】明細書
【補正対象項目名】００２９
【補正方法】変更
【補正の内容】
【００２９】
図４は、図２のIV−IV線断面図である。駆動軸７０は、スイングアーム２０の後端に設けられる支持部５３に回転自在に軸支されている。中空構造とされる駆動軸７０の外周部には、段差７６を介する小径部７１および大径部７２が形成されており、支持部５３の車幅方向左側の第１ボール軸受５１が小径部７１に嵌合すると共に、車幅方向右側のニードルローラ軸受５２が大径部７２に嵌合する。なお、駆動軸７０は中空構造として軽量化が図られており、その内周部には、小径部７１および大径部７２に合わせた、内側小径部７４および内側大径部７５が形成されている。
【手続補正２】
【補正対象書類名】明細書
【補正対象項目名】００３３
【補正方法】変更
【補正の内容】
【００３３】
ハブダンパケース２４は、第２ボール軸受５０によって駆動軸７０に回転自在に軸支される。これに対し、ハブダンパフランジ４７は、駆動軸７０の小径部７１にスプライン嵌合することで回転不能に固定されている。ハブダンパケース２４には、板部材で仕切られた複数の部屋が形成されており、この部屋に収納される複数のハブダンパ４８の間に、ハブダンパフランジ４７から軸方向外側に延びる複数の伝達突起が挿入される。これにより、ドリブンスプロケット２３を介してハブダンパケース２４に入力される動力が、ゴム等からなるハブダンパ４８に挟まれる伝達突起を介してハブダンパフランジ４７に伝達されることとなり、加減速に伴うトルクショックが低減される。
【手続補正３】
【補正対象書類名】明細書
【補正対象項目名】００４５
【補正方法】変更
【補正の内容】
【００４５】
１…自動二輪車（車両）、２０…スイングアーム、２４…ハブダンパケース、５０…第２ボール軸受（軸受）、５３…支持部、６２…雄ねじ部、６３…頭部、６４…軸部、７０…駆動軸、７０ａ…駆動軸の端部、７１…小径部、７２…大径部、７６…段差、７８…雌ねじ部、９０…隙間、Ａ…動力伝達機構、ＷＲ…後輪（駆動輪）、
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
半導体素子が直列接続されて構成される複数のレグの両端は直流電源に接続され、各レグの半導体素子間と交流負荷の各相とが接続されることで前記交流負荷に前記直流電源を交流電源に変換して電力供給するインバータ装置であって、
前記半導体素子の導通時の電圧が以前の導通時の電圧よりも所定以上の割合で増加した場合、前記半導体素子の異常と判定することを特徴とするインバータ装置。
【請求項２】
請求項１に記載のインバータ装置であって、
前記レグのレグ両端間電圧を第１の電圧、前記レグの一方端と当該レグの半導体素子間の電圧を第２の電圧とし、前記レグの他方端と当該レグの半導体素子間に接続された第１の半導体素子が導通状態において前記第１の電圧と第２の電圧の差電圧を求め、当該差電圧を前記半導体素子の導通時電圧として前記半導体素子の異常を判別することを特徴とするインバータ装置。
【請求項３】
請求項１に記載のインバータ装置であって、
レグ構成された半導体素子に点弧信号を継続して与える点弧期間と、半導体素子に点弧信号を継続して与えない無点弧期間を有し、前記インバータ装置の起動とは無点弧期間から点弧期間に移動した状態をいうことを特徴とするインバータ装置。
【請求項４】
請求項１に記載のインバータ装置であって、
パワー半導体素子として６個のＩＧＢＴで構成されていることを特徴とするインバータ装置。
【請求項５】
請求項２に記載のインバータ装置であって、
第１の電圧及び第２の電圧を分圧して得ることを特徴とするインバータ装置。
【請求項６】
請求項１に記載のインバータ装置であって、
インバータ装置の起動の都度求めた前記半導体素子の導通時電圧を、ＦＩＦＯ形式のメモリに順次記憶して記憶したｎ個の導通時電圧から、通電時電圧の移動平均を求め、次回検知の導通時電圧と移動平均の比較により前記半導体素子の異常を判別することを特徴とするインバータ装置。
【請求項７】
請求項１に記載のインバータ装置であって、
インバータ装置の起動の都度求めた前記半導体素子の導通時電圧を、ＦＩＦＯ形式のメモリに順次記憶して記憶したｎ個の導通時電圧から、通電時電圧の移動平均を求め、移動平均と基準値の比較により前記半導体素子の異常を判別することを特徴とするインバータ装置。
【請求項８】
請求項１に記載のインバータ装置であって、
前記半導体素子の異常を判別したときに、異常発生を外部報知し、または前記半導体素子に流れる電流を制限して運転継続することを特徴とするインバータ装置。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
フッ酸又はフッ化アンモニウムを含有したエッチング液によってエッチング処理するエッチング方法において使用される感光性樹脂組成物であって、少なくとも（Ａ）酸変性エポキシアクリレート、（Ｂ）光重合開始剤、（Ｃ）ブロック化イソシアネート化合物、（Ｄ）フィラー、を含有してなる感光性樹脂組成物。
【請求項２】
（Ａ）酸変性エポキシアクリレートが、エポキシ樹脂（ａ）と、アクリル酸及びメタクリル酸の群から選ばれる少なくとも１種の化合物と、カルボン酸含有化合物及びカルボン酸含有化合物の無水物の群から選ばれる少なくとも１種の化合物（ｂ）とを、少なくとも反応させてなる化合物であり、エポキシ樹脂（ａ）がビスフェノールＡ型である請求項１記載の感光性樹脂組成物。
【請求項３】
（Ａ）酸変性エポキシアクリレートが、エポキシ樹脂（ａ）と、アクリル酸及びメタクリル酸の群から選ばれる少なくとも１種の化合物と、カルボン酸含有化合物及びカルボン酸含有化合物の無水物の群から選ばれる少なくとも１種の化合物（ｂ）とを、少なくとも反応させてなる化合物であり、化合物（ｂ）がコハク酸及び無水コハク酸の群から選ばれる少なくとも１種である請求項１又は２記載の感光性樹脂組成物。
【請求項４】
（Ｃ）ブロック化イソシアネート化合物が、メチルエチルケトキシムによってブロック化された１，６−ヘキサメチレンジイソシアネートである請求項１〜３のいずれか記載の感光性樹脂組成物。
【請求項５】
（Ｄ）フィラーがタルクである請求項１〜４のいずれか記載の感光性樹脂組成物。
【請求項６】
基材の少なくとも片面に、請求項１〜５のいずれか記載の感光性樹脂組成物を含有してなる感光性樹脂層を形成し、感光性樹脂層を露光後現像し、感光性樹脂層を加熱した後、フッ酸又はフッ化アンモニウムを含有したエッチング液によってエッチング処理するエッチング方法。
【手続補正２】
【補正対象書類名】明細書
【補正対象項目名】００１０
【補正方法】変更
【補正の内容】
【００１０】
（３）（Ａ）酸変性エポキシアクリレートが、エポキシ樹脂（ａ）と、アクリル酸及びメタクリル酸の群から選ばれる少なくとも１種の化合物と、カルボン酸含有化合物及びカルボン酸含有化合物の無水物の群から選ばれる少なくとも１種の化合物（ｂ）とを、少なくとも反応させてなる化合物であり、化合物（ｂ）がコハク酸及び無水コハク酸の群から選ばれる少なくとも１種である上記（１）又は（２）記載の感光性樹脂組成物。
【手続補正３】
【補正対象書類名】明細書
【補正対象項目名】００２６
【補正方法】変更
【補正の内容】
【００２６】
ブロック剤としては、フェノール、クレゾール、ｐ−エチルフェノール、ｐ−ｔｅｒｔ−ブチルフェノール等のフェノール系；エタノール、ブタノール、エチレングリコール、メチルセロソルブ、ベンジルアルコール等のアルコール系；マロン酸ジエチル、アセト酢酸エチル等の活性メチレン系；アセトアニリド、アセトアミド等の酸アミド系；その他イミド系；アミン系；イミダゾール系；ピラゾール系；尿素系；カルバミン酸系；イミン系；ホルムアルデヒドキシム、アセトアルドキシム、アセトキシム、メチルエチルケトキシム、ジアセチルモノオキシム、シクロヘキサノンオキシム等のオキシム系；メルカプタン系；重亜硫酸ナトリウム、重亜硫酸カリウム等の亜硫酸塩系；ラクタム系等がある。常温保存性、架橋性から、ブロック剤としては、メチルエチルケトキシム（Ｍｅｔｈｙｌ  Ｅｔｈｙｌ  Ｋｅｔｏｘｉｍｅ）が好ましい。
【手続補正４】
【補正対象書類名】明細書
【補正対象項目名】００３０
【補正方法】変更
【補正の内容】
【００３０】
本発明の感光性樹脂組成物は、必要に応じて、メタノール、エタノール、ｎ−プロパノール、２−ブタノール、ｎ−ヘキサノール等のアルコール類；アセトン、２−ブタノン等のケトン類；酢酸エチル、酢酸ブチル、酢酸−ｎ−アミル、硫酸メチル、プロピオン酸エチル、フタル酸ジメチル、安息香酸エチル等のエステル類；トルエン、キシレン、ベンゼン、エチルベンゼン等の芳香族炭化水素類；テトラヒドロフラン、ジエチルエーテル、エチレングリコールモノメチルエーテル、エチレングリコールモノエチルエーテル、１−メトキシ−２−プロパノール等のエーテル類；Ｎ，Ｎ−ジメチルホルムアミド、ジメチルスルホキシド等の溶剤又はこれらの混合溶剤を含有させてもよい。
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
複数の車両と、前記車両の運転を支援する運転支援情報を前記車両に配信する運転支援装置と、を備え、
前記車両は、
車載カメラから得られる画像を前記運転支援装置に送信し、前記運転支援装置から前記運転支援情報を受信し、
前記運転支援装置は、
前記車両から受信した前記画像に含まれるランドマークを認識するランドマーク認識部と、
前記ランドマークが設置される所定位置に基づいて判定された前記車両の位置に対応する前記運転支援情報を前記車両に配信する運転支援情報管理部と、を備える
運転支援システム。
【請求項２】
前記運転支援情報は、駐車スペースが設けられる駐車場を利用する前記車両に配信され、
前記画像に含まれる前記駐車スペース毎に他の前記車両の在車又は空車を判定する在車判定部を備え、
前記運転支援情報管理部は、前記駐車スペースの在車又は空車が示される駐車場地図を前記運転支援情報として作成する
請求項１に記載の運転支援システム。
【請求項３】
前記在車判定部は、前記画像の変化に基づいて前記駐車スペースを求め、前記駐車スペースに設定した判定領域の変化に応じて前記駐車スペースの空車又は在車を判定する
請求項２に記載の運転支援システム。
【請求項４】
さらに、前記ランドマークの設置位置と、前記ランドマークの登録画像とを管理する駐車場画像データベースを備え、
前記ランドマーク認識部は、前記車両から受信した前記画像に含まれる前記ランドマークを、前記駐車場画像データベースから読み出した前記ランドマークの登録画像と照合して、前記ランドマークの設置位置を認識する
請求項２に記載の運転支援システム。
【請求項５】
前記運転支援情報管理部は、
前記ランドマークが設置される前記所定位置より前記車両の位置を判定する位置判定部と、
前記運転支援情報を作成する運転支援情報作成部と、
前記運転支援情報を前記車両に配信する運転支援情報配信部と、を備える
請求項４に記載の運転支援システム。
【請求項６】
前記ランドマーク認識部は、
前記駐車場が立体駐車場である場合に、前記立体駐車場の各フロアの入口に表示される前記ランドマークに基づいてフロア階数を判定するフロア階数判定部と、
前記フロア毎に分割されたブロックに設置される前記ランドマークに基づいて前記ブロック毎の表示内容を判定するブロック判定部と、を有し、
前記位置判定部は、前記フロア階数又は前記表示内容に基づいて、前記車両の位置を判定し、
前記運転支援情報作成部は、前記駐車場の駐車状況をフロア毎に示すフロアマップと、前記フロア内の前記ブロック毎に駐車状況を示すブロックマップとを前記駐車場地図として作成し、
前記運転支援情報配信部は、前記車両が前記フロアの入口を走行する場合に前記フロアマップを配信し、前記車両が前記フロア内を走行する場合に前記ブロックマップを配信する
請求項５に記載の運転支援システム。
【請求項７】
前記画像、及び前記車両から受信する車両情報に基づいて、他の前記車両が走行中、駐車中又は出庫予定のいずれかの車両状態を判定する車両状態判定部を備え、
前記運転支援情報作成部は、前記車両の前記車両状態が示される前記駐車場地図を作成する
請求項６に記載の運転支援システム。
【請求項８】
前記ランドマーク認識部は、前記ランドマークの時間経過における大きさの変化により前記車両の走行又は駐車を判定する走行判定部を有し、
前記在車判定部は、前記走行判定部によって前記車両が走行していると判定された場合に、前記車両の側面方向を撮影可能に設置された前記車載カメラが撮影した前記画像に基づいて前記駐車スペースの在車又は空車を判定し、前記走行判定部によって前記車両が駐車していると判定された場合に前記車両の前方を撮影可能に設置された前記車載カメラが撮影した前記画像に基づいて前記駐車スペースの在車又は空車を判定する
請求項５に記載の運転支援システム。
【請求項９】
前記運転支援情報管理部は前記車両の近くにいる歩行者、又は前記車両に接近する他の車両の存在を警告する警告情報を前記運転支援情報として作成する
請求項１に記載の運転支援システム。
【請求項１０】
さらに、前記車両の車両識別情報に関連づけられた端末識別情報を有する携帯端末を備え、
前記携帯端末は、端末カメラから得られる端末画像と、前記携帯端末の端末識別情報とを前記運転支援装置に送信し、前記運転支援装置から前記運転支援情報を受信し、
前記ランドマーク認識部は、前記端末画像に含まれる前記ランドマークを認識し、
前記運転支援情報管理部は、前記端末識別情報に関連づけられた前記車両から前記携帯端末の現在位置までの経路を反映した駐車場地図を前記運転支援情報として作成し、前記携帯端末に前記運転支援情報を配信する
請求項１に記載の運転支援システム。
【請求項１１】
車載カメラから得られる画像を車両から受信し、前記画像に含まれるランドマークを認識するランドマーク認識部と、
前記ランドマークが設置される所定位置に基づいて判定された前記車両の位置に対応し、前記車両の運転を支援する運転支援情報を前記車両に配信する運転支援情報管理部と、を備える
運転支援装置。
【請求項１２】
複数の車両と、前記車両の運転を支援する運転支援情報を前記車両に配信する運転支援装置と、を備える運転支援システムが行う運転支援方法であって、
前記車両が、車載カメラから得られる画像を前記運転支援装置に送信するステップと、
前記運転支援装置が、前記車両から受信した前記画像に含まれるランドマークを認識するステップと、
前記運転支援装置が、前記ランドマークが設置される所定位置に基づいて判定された前記車両の位置に対応する前記運転支援情報を前記車両に配信するステップと、
前記車両が、前記運転支援装置から前記運転支援情報を受信するステップと、を含む
運転支援方法。